(57)【要約】 【課題】  本発明は、細かいとげ等が皮膚に刺さり、前記とげを肉眼で発見することが極めて困難な場合に、完全にとげが抜けない、とげの刺さった場所が見にくいという問題を解決することを目的とする。【解決手段】  本発明は上記の課題を解決するために、略Ｕ字状のとげ抜き本体と、Ｕ字状のとげ抜き本体の湾曲部分の頂点に略長方形状のレンズ取付枠、前記レンズ取付枠に内接して設けた同じ長方形状の凸レンズとからなることを特徴とするレンズ付きとげ抜きを提供することを目的とする。【選択図】  図１
2005103186.tif 000002
【特許請求の範囲】
【請求項１】
略Ｕ字状のとげ抜き本体と、前記Ｕ字状のとげ抜き本体の湾曲部分の頂点に設けた略長方形状のレンズ取付枠と、前記レンズ取付枠に内接して設けた凸レンズとからなることを特徴とするレンズ付きとげ抜き。
【請求項２】
凸レンズを着脱式とし交換することができるようにしたことを特徴とする請求項１記載に記載のレンズ付きとげ抜き。
【請求項３】
略Ｕ字状のとげ抜き本体と、円状の凸レンズと凸レンズの外周を保護するためのレンズ取付枠を設け、レンズ取付枠にはとげ抜き本体と接続するための略Ｃ字状のクリップとを備え、前記クリップとレンズ取付枠を接続できる屈曲時際の支持棒を設けたクリップ式レンズとからなり、前記クリップ式レンズを略Ｕ字状のとげ抜き本体の湾曲部分の頂点に設けたことを特徴とするレンズ付きとげ抜き。
【請求項４】
略Ｕ字状のとげ抜き本体及びとげ抜き本体の先端に設けられたく字状のつかみ部の表面を覆うプラスチック製のカバーを取り付けたことを特徴とする請求項１、請求項２又は請求項３に記載のレンズ付きとげ抜き。
【発明の詳細な説明】
【技術分野】
【０００１】
本発明はとげ抜きに関する改良発明である。
【背景技術】
【０００２】
従来のとげ抜きは、ステンレス鋼等からなる２つ折りにしてとげ抜き本体が形成され、とげ抜き本体の先端部に内向きに折り曲げられた挟み部を要していた。そのため、とげそのものが細かいため、老眼等の方にとっては、とげが見えず、皮膚などに刺さったとげの完全な抜き取りに極めて困難を要する場合が多かった。
【０００３】
また、従来のとげ抜きは、小型な鏡の柄となる支柱上で且つ、該支柱を支えながら毛抜きを操作できるような位置に毛抜きを取付け、該毛抜きの先端部と体の無駄毛の被処置部を使用者の視界に反射映像させて観察できるように鏡の傾斜角度を自由に変化させる手段を介して前記支柱の先端に鏡を取り付けたことを特徴とした鏡付き毛抜きであった。
【特許文献１】特願２０００−１６６６３６号
【発明の開示】
【発明が解決しようとする課題】
【０００４】
解決しようとする問題点は、高齢者等の皮膚に細かいとげ等が刺さった場合、とげを肉眼で発見することが非常に困難であり、仮にとげを挟みこむことに成功したとしても、とげの端部が極めて見づらいため、とげが抜ける途中で半分に折れ、完全にとげが抜けないという問題がある。
【０００５】
また、当該とげを拡大して抜き取る場合にルーペや虫眼鏡を使用すると、両手がふさがってしまう。即ち、とげ等が皮膚の奥に入り込んだ場合、通常であれば、とげ抜きを持っていない方の手で、当該とげが刺さった皮膚をつまんで、盛り上げるようにし、とげの端部を僅かでも皮膚の外に突出させてから、とげ抜きを使用できるところ、とげ抜き以外のルーペや虫眼鏡を使用することで、両手がふさがれるという問題を生じる。
【課題を解決するための手段】
【０００６】
本発明は上記の課題を解決するために、略Ｕ字状のとげ抜き本体と、前記Ｕ字状のとげ抜き本体の湾曲部分の頂点に略長方形状のレンズ取付枠と、前記レンズ取付枠に内接して設け、当該とげを拡大できる凸レンズとからなることを特徴とするレンズ付きとげ抜きを提供することを目的とする。
【発明の効果】
【０００７】
第１に本発明であるレンズ付きとげ抜きは、ルーペや虫眼鏡を使用しなくとも、皮膚等にささったとげを拡大して見ることができるため、老眼の方でも細いとげ等を極めて簡単に発見できるとともに、抜き取ることができる。
【０００８】
第２に本発明であるレンズ付きとげ抜きは、とげ抜きだけに使用を限定せず、毛抜きとして使用することができる。例えば、腕や足のすねに生えた極めて細い産毛等を抜く場合等に使用することができる。
【発明を実施するための最良の形態】
【０００９】
略Ｕ字状のとげ抜き本体と、Ｕ字状のとげ抜き本体の湾曲部分の頂点に略長方形状のレンズ取付枠、前記レンズ取付枠に内接して設けた同じ長方形状の凸レンズとからなることを特徴とするレンズ付きとげ抜きの構成とした。
【実施例１】
【００１０】
以下、添付図面に基づいて本発明であるレンズ付きとげ抜きの詳細を説明する。
図１に示したように本発明であるレンズ付きとげ抜き１は、錆等に強いステンレス等の鋼材からなる略Ｕ字状のとげ抜き本体１ａと、Ｕ字状のとげ抜き本体１ａの湾曲部分の頂点に略長方形状のレンズ取付枠１ｂ、前記レンズ取付枠１ｂに内接して設けた同じ長方形状でとげを拡大できる凸レンズ３とからなることを特徴とする。
【００１１】
また、Ｕ字状のとげ抜き本体１ａの各先端部分には、く字状のつかみ部２を設けている。なお、く字状のつかみ部２の間には間隙１ｃがある。次に図２では、レンズ付きとげ抜き１の操作方法について説明をする。
【００１２】
図２に示したように、レンズ付きとげ抜き１の操作方法は、まず、とげ抜き本体１ａの湾曲部分の頂点に設けた凸レンズ３に対して、使用者の眼が正面の位置になるようにする。そして、使用者の眼の位置を予め定めた後に、本発明であるレンズ付きとげ抜き１を、抜くべきとげ５の中央に合わせ、とげ５の末端部をつかみ部２で挟むことで、とげ５を容易に抜くことができる仕組みである。
【００１３】
また図３のレンズ付きとげ抜き１の平面図に示したように、長方形状の凸レンズ３に対して、正面の位置に目が定まらない場合、とげ５の確認が困難になる。そこで、本発明では、点線で囲んだつかみ部２の間、即ち、凸レンズ３の中心には、当該とげ５の位置合わせが簡単に出来るよう略十字状の基準線６を設けた。
【００１４】
なお、凸レンズ３のように、レンズの形状は長方形に限定せず、円形状、略楕円状のように凸レンズ３の形状を自由に変更してもよい。凸レンズ３及びレンズ取付枠１ｂの材質は、プラスチック合成樹脂等の材料を使用することができる。次に、図４及び図５でレンズ付きとげ抜き１の斜視図について詳細を説明する。
【実施例２】
【００１５】
図４及び図５に示したのは、レンズ付きとげ抜き１の第２実施例である。図４及び図５に示したレンズ付きとげ抜き１ｄは、とげ抜き本体１ａの上部に取り付けた着脱式レンズ３ａの部分が簡単に着脱できるよう設けたことを特徴とする。例えば、とげ等が極めて小さいために見づらい等の問題が発生した時に、着脱式レンズ３ａを外し、交換することで、容易に倍率を上げ、拡大することができる。
【００１６】
着脱式レンズ３ａは、レンズ部分となる長方形状の凸レンズ３ｂと、凸レンズ３ｂの外周を固定するために設けたレンズ取付枠３ｃと、レンズ取付枠３ｃの左右端部に設け、着脱式レンズ３ａを簡単に指先で掴みやすいように設けた略長方形状の着脱部３ｄと、着脱式レンズ３ａをとげ抜き本体１ａの上面に差し込みできる差込部３ｅとからなることを特徴とする。
【００１７】
また、差込部３ｅは、より着脱式レンズ３ａを差し込みやすくするために、レンズ取付枠１ｂの左右端部に長方形状の溝１ｅを設けることで、前記着脱部３ｄを掴みやすくしている。なお、図５のレンズ付きとげ抜き１ｄの平面図に示したように、凸レンズ３の中心には、当該抜くとげ５の位置合わせが簡単に出来るよう略十字状の基準線６を設けた。
【００１８】
そして凸レンズ３の形状は長方形に限定せず、略楕円状のように凸レンズ３の形状を自由に変更してもよい。また、着脱式レンズ３ａは付け替えることが可能であるので、近視用レンズ、遠視用レンズ、老眼用レンズ等、必要に応じたレンズに付け替えて使用することができる。次に、図６及び図７で、第３実施例であるレンズ付詳細を説明する。
【実施例３】
【００１９】
図６に示したのは、本発明であるレンズ付きとげ抜きの第３実施例である。レンズ付きとげ抜き１ｆを構成するとげ抜き本体１ａの湾曲部分の頂点には、着脱容易なクリップ式レンズ４を設けている。
【００２０】
クリップ式レンズ４は、中心が円状の凸レンズ４ａであり、凸レンズ４ａの外周に、凸レンズ４ａの外周を保護するためのレンズ取付枠４ｂを設け、レンズ取付枠４ｂはとげ抜き本体１ａと接続するための略Ｃ字状のクリップ４ｄとを備え、クリップ４ｄと、レンズ取付枠４ｂを接続できる屈曲自在の支持棒４ｃを設けたことを特徴とする。
【００２１】
なお、クリップ式レンズ４の取付先は、市販品のとげ抜きであればどの種類でも容易に取り付けることができる。また、クリップ４ｄの内側には、ラバーゴム等のすべり止めを取り付けることができる。次に、図７では、レンズ付きとげ抜き１ｄから、クリップ式レンズ４を着脱する場合の詳細を説明する。
【００２２】
図７に示したのは、レンズ付きとげ抜き１ｆから、クリップ式レンズ４を着脱した場合を示した斜視図である。図７に示したように、クリップ式レンズ４は、とげ抜き本体１ａから、クリップ式レンズ４を外し、次に、クリップ式レンズ４を背面又は表面にして、とげ抜き本体１ａの間にある間隙１ｃに挟みこむように入れることで、とげ抜き本体１ａと一体化させて収納することができる。
【００２３】
また、レンズ取付枠４ｂの外周には、柔らかいラバーゴム等からなる緩衝材４ｅを設けることができる。緩衝材４ｅは、とげ抜き本体１ａの間隙１ｃに収納する際、レンズ取付枠４ｂ全体を保護し、レンズ取付枠４ｂの内部にある凸レンズ４ａの破損を防ぐことができる。
【実施例４】
【００２４】
図８は、本発明であるレンズ付きとげ抜きの第４実施例の斜視図である。本第４実施例は、第１実施例から第３実施例までに示した各レンズ付きとげ抜き１、１ｄ、１ｆにカバ７ーを取り付けたものである。
【００２５】
レンズ付きとげ抜き１、１ｄ、１ｆで魚のとげ５を抜き取る場合、つかみ部２に魚の脂や臭いがついてしまう。また、レンズ付きとげ抜き１、１ｄ、１ｆを何度も使用することで、使用者の手指のあぶらが付着し、次第に汚れてしまい、不潔感を与えることとなる。      
【００２６】
そこで、とげ抜き本体１ａ及びつかみ部２の表面を覆うように、プラスチック製のカバー７を取り付けることで、とげ抜き本体１ａやつかみ部２の表面に魚の脂や手指のあぶらが付着することを防ぐことができる。
【産業上の利用可能性】
【００２７】
本発明であるレンズ付きとげ抜きは、とげ抜きや毛抜きのみならず、小魚等の小骨取りにも使用することができる。小魚の具体例として鰯やサンマ等が挙げることができる。
【図面の簡単な説明】
【００２８】
【図１】本発明であるレンズ付きとげ抜きの斜視図である。
【図２】本発明であるレンズ付きとげ抜きの右側面図である。
【図３】本発明であるレンズ付きとげ抜きの平面図である。
【図４】本発明であるレンズ付きとげ抜きの第２実施例の斜視図である。
【図５】本発明であるレンズ付きとげ抜きの第２実施例の平面図である。
【図６】本発明であるレンズ付きとげ抜きの第３実施例の斜視図である。
【図７】本発明であるレンズ付きとげ抜きの第３実施例の斜視図である。
【図８】本発明であるレンズ付きとげ抜きの第４実施例の斜視図である。
【符号の説明】
【００２９】
１        レンズ付きとげ抜き
１ａ      とげ抜き本体
１ｂ      レンズ取付枠
１ｃ      間隙
１ｄ      レンズ付きとげ抜き
１ｅ      溝
１ｆ      レンズ付きとげ抜き
２        つかみ部
３        凸レンズ
３ａ      着脱式レンズ
３ｂ      凸レンズ
３ｃ      レンズ取付枠
３ｄ      着脱部
３ｅ      差込部
４        クリップ式レンズ
４ａ      凸レンズ
４ｂ      レンズ取付枠
４ｃ      支持棒
４ｄ      クリップ
４ｅ      緩衝材
５        とげ
６        基準線
７        カバー
【図１】
2005103186.tif 000003
【図２】
2005103186.tif 000004
【図３】
2005103186.tif 000005
【図４】
2005103186.tif 000006
【図５】
2005103186.tif 000007
【図６】
2005103186.tif 000008
【図７】
2005103186.tif 000009
【図８】
2005103186.tif 000010